【手続補正書】
【提出日】平成20年3月29日(2008.3.29)
【手続補正１】
【補正対象書類名】明細書
【補正対象項目名】特許請求の範囲
【補正方法】変更
【補正の内容】
【特許請求の範囲】
【請求項１】  番組の途中で、本体画像の全ての表示を一時的に中断し、その間だけＣＭ映像を表示させるように構成した番組を表示するための第１のチャンネルと、
番組の途中で、本体画像の表示を中断させることなく連続的に表示させたまま、すなわち、前記本体画像を構成要素とする1つの番組が開始されてから終了するまでの間は、ＣＭ画像の挿入のために前記本体画像を途中で中断することはしないようにしたまま、「前記本体画像と同時並行的に、前記本体画像の中の一部分又は前記本体画像の外周部の少なくとも一部に、常時又は断続的に、表示されるＣＭ画像」を表示させるように構成した番組を表示するための第２のチャンネルとを、
放送局側から、放送用電波、ケーブルテレビ用ケーブル、又はインターネットなどの通信回線により、送信するようにした、ことを特徴とするＣＭ画像を含む番組の放送方法。
【請求項２】  番組の途中で、少なくとも２回以上の回数、本体画像の全ての表示を一時的に中断し、その間だけＣＭ映像を表示させるように構成した番組を表示するための第１のチャンネルと、
番組の途中で、前記第１のチャンネルの番組における前記回数よりも少ない回数だけ、本体画像の全ての表示を一時的に中断し、その間だけＣＭ映像を表示させると共に、前記本体画像の全ての表示を一時的に中断しないときも「前記本体画像と同時並行的に、前記本体画像の中の一部分又は前記本体画像の外周部の少なくとも一部に、常時又は断続的に、表示されるＣＭ画像」を表示させるように構成した番組を表示するための第２のチャンネルとを、
放送局側から、放送用電波、ケーブルテレビ用ケーブル、又はインターネットなどの通信回線により、送信するようにした、ことを特徴とするＣＭ画像を含む番組の放送方法。
【請求項３】  番組の途中で、本体画像の全ての表示を一時的に中断し、その間だけＣＭ映像を表示させるように構成した番組を表示するための第１のチャンネルと、
前記第１のチャンネルの番組の本体画像と同じ本体画像を、その番組の途中で中断させることなく連続的に表示させたまま、すなわち、前記本体画像を構成要素とする1つの番組が開始されてから終了するまでの間は、ＣＭ画像の挿入のために前記本体画像を途中で中断することはしないようにしたまま、「前記本体画像と同時並行的に、前記本体画像の中の一部分又は前記本体画像の外周部の少なくとも一部に、常時又は断続的に、表示されるＣＭ画像」を表示させるように構成した番組を表示するための第２のチャンネルとを、
同時に又は所定のタイムラグを介して、並行的に、放送局側から、放送用電波、ケーブルテレビ用ケーブル、又はインターネットなどの通信回線により、送信するようにした、ことを特徴とするＣＭ画像を含む番組の放送方法。
【請求項４】  番組の途中で、少なくとも２回以上の回数、本体画像の全ての表示を一時的に中断し、その間だけＣＭ映像を表示させるように構成した番組を表示するための第１のチャンネルと、
前記第１のチャンネルの番組の本体画像と同じ本体画像を含む番組であって、前記第１のチャンネルの番組における前記回数よりも少ない回数だけ、前記本体画像の全ての表示を一時的に中断し、その間だけＣＭ映像を表示させると共に、前記本体画像の全ての表示を一時的に中断しないときも「前記本体画像と同時並行的に、前記本体画像の中の一部分又は前記本体画像の外周部の少なくとも一部に、常時又は断続的に、表示されるＣＭ画像」を表示させるように構成した番組を表示するための第２のチャンネルとを、
同時に又は所定のタイムラグを介して、並行的に、放送局側から、放送用電波、ケーブルテレビ用ケーブル、又はインターネットなどの通信回線により、送信するようにした、ことを特徴とするＣＭ画像を含む番組の放送方法。
【請求項５】  請求項１から４までのいずれかにおいて、
前記第２のチャンネルの番組の一部として表示される「本体画像と同時並行的に、本体画像の中の一部分又は本体画像の外周部の少なくとも一部に、常時又は断続的に、表示されるＣＭ画像」は、「前記の放送局からのデータ放送用電波により、同時に送信されてきた複数個のＣＭ画像データ」の中から、ユーザー側の番組表示装置側に記録されているユーザーの性別・年齢層・職業・趣味・嗜好などのユーザー属性に基づいて選択されるものである、ことを特徴とするＣＭ画像を含む番組の放送方法。
【請求項６】  番組の本体画像の表示の全てを一時的に中断し、その間だけ挿入される第１のタイプのＣＭ画像を含む「放送用電波、ケーブルテレビ用ケーブル、又はインターネットなどの通信回線により送信されてくる番組」を、表示装置に表示させるための第１の番組表示手段と、
番組の本体画像の表示は途中で中断することなく連続的に表示させたまま、すなわち、前記本体画像を構成要素とする1つの番組が開始されてから終了するまでの間は、ＣＭ画像の挿入のために前記本体画像を途中で中断することはしないようにしたまま、本体画像の中の一部又は本体画像の外周部の少なくとも一部に常時又は断続的に表示される第２のタイプのＣＭ画像が表示される「放送用電波、ケーブルテレビ用ケーブル、又はインターネットなどの通信回線により送信される番組」を、表示装置に表示させるための第２の番組表示手段と、
前記第１のタイプのＣＭ画像と前記第２のタイプのＣＭ画像とのいずれのタイプのＣＭ画像を含む番組を表示させるかを選択するためのＣＭ画像タイプ選択手段と、
前記ＣＭ画像タイプ選択手段からの信号に基づいて、その選択されたタイプのＣＭ画像を含む番組を、前記表示装置に表示させるためのＣＭ画像タイプ切換え手段と、
を備えたことを特徴とするＣＭ画像タイプ切換え装置。
【請求項７】  番組の本体画像の表示の全てを一時的に中断し、その間だけ挿入される第１のタイプのＣＭ画像を含む「放送用電波、ケーブルテレビ用ケーブル、又はインターネットなどの通信回線により送信される番組」を、表示装置に表示させるための第１の番組表示手段と、
前記第１の番組表示手段により表示される本体画像と同じ本体画像を含む番組であって、番組の本体画像の表示は途中で中断することなく連続的に表示させたまま、すなわち、前記本体画像を構成要素とする1つの番組が開始されてから終了するまでの間は、ＣＭ画像の挿入のために前記本体画像を途中で中断することはしないようにしたまま、本体画像の中の一部又は本体画像の外周部に常時又は断続的に表示される第２のタイプのＣＭ画像が表示される「放送用電波、ケーブルテレビ用ケーブル、又はインターネットなどの通信回線により送信される番組」を、表示装置に表示させるための第２の番組表示手段と、
前記第１のタイプのＣＭ画像を含む番組の本体画像と前記第２のタイプのＣＭ画像を含む番組の本体画像とを予め互いに同期させて放送しておき、前記第１又は第２のいずれか一方のタイプのＣＭ画像を含む番組を表示させている途中で、ユーザーが前記一方のタイプのＣＭ画像を含む番組の表示から他方のタイプのＣＭ画像を含む番組の表示への切換えを希望したときは、前記の「ユーザーが切り換えを希望したタイプのＣＭ画像を含む番組」を、前記表示装置に表示させるためのＣＭ画像タイプ切換え手段と、
を備えたことを特徴とするＣＭ画像タイプ切換え装置。
【請求項８】  番組の途中で、少なくとも２回以上の回数、本体画像の全ての表示を一時的に中断し、その間だけＣＭ映像を表示させるように構成した「放送用電波、ケーブルテレビ用ケーブル、又はインターネットなどの通信回線により送信されてくる番組」を、表示装置に表示させるための第１の番組表示手段と、
前記第１のチャンネルの番組における前記回数よりも少ない回数だけ、前記本体画像の全ての表示を一時的に中断し、その間だけＣＭ映像を表示させると共に、前記本体画像の全ての表示を一時的に中断しないときも「前記本体画像と同時並行的に、前記本体画像の中の一部分又は前記本体画像の外周部の少なくとも一部に、常時又は断続的に、表示されるＣＭ画像」を表示させるように構成した「放送用電波、ケーブルテレビ用ケーブル、又はインターネットなどの通信回線により送信される番組」を、表示装置に表示させるための第２の番組表示手段と、
前記第１のタイプのＣＭ画像と前記第２のタイプのＣＭ画像とのいずれのタイプのＣＭ画像を含む番組を表示させるかを選択するためのＣＭ画像タイプ選択手段と、
前記ＣＭ画像タイプ選択手段からの信号に基づいて、その選択されたタイプのＣＭ画像を含む番組を、前記表示装置に表示させるためのＣＭ画像タイプ切換え手段と、
を備えたことを特徴とするＣＭ画像タイプ切換え装置。
【請求項９】  番組の途中で、少なくとも２回以上の回数、本体画像の全ての表示を一時的に中断し、その間だけＣＭ映像を表示させるように構成した「放送用電波、ケーブルテレビ用ケーブル、又はインターネットなどの通信回線により送信される番組」を、表示装置に表示させるための第１の番組表示手段と、
前記第１の番組表示手段により表示される本体画像と同じ本体画像を含む番組であって、前記第１のチャンネルの番組における前記回数よりも少ない回数だけ、前記本体画像の全ての表示を一時的に中断し、その間だけＣＭ映像を表示させると共に、前記本体画像の全ての表示を一時的に中断しないときも「前記本体画像と同時並行的に、前記本体画像の中の一部分又は前記本体画像の外周部の少なくとも一部に、常時又は断続的に、表示されるＣＭ画像」を表示させるように構成した「放送用電波、ケーブルテレビ用ケーブル、又はインターネットなどの通信回線により送信される番組」を、表示装置に表示させるための第２の番組表示手段と、
前記第１のタイプのＣＭ画像を含む番組の本体画像と前記第２のタイプのＣＭ画像を含む番組の本体画像とを予め互いに同期させて放送しておき、前記第１又は第２のいずれか一方のタイプのＣＭ画像を含む番組を表示させている途中で、ユーザーが前記一方のタイプのＣＭ画像を含む番組の表示から他方のタイプのＣＭ画像を含む番組の表示への切換えを希望したときは、前記の「ユーザーが切り換えを希望したタイプのＣＭ画像を含む番組」を、前記表示装置に表示させるためのＣＭ画像タイプ切換え手段と、
を備えたことを特徴とするＣＭ画像タイプ切換え装置。